(57)【特許請求の範囲】
【請求項１】
画像を表示可能な画面を有する表示用ディスプレイ装置と、
該表示用ディスプレイ装置の画面に重ねて設置されると共に入力操作が可能なタッチパネルと、
該タッチパネルよりも大きい面形状を有すると共に、該タッチパネルの外表面に貼付けられて、該タッチパネルを保護する保護プレートと、
前記表示用ディスプレイ装置を収容設置可能なディスプレイ収容凹部、および、該ディスプレイ収容凹部の外周を取囲むように設けられて、前記タッチパネルの周縁部から張出された前記保護プレートの周縁部を貼付固定可能な保護プレート貼付代部を有する筐体とを備え、
前記タッチパネルが、その一辺部に、面方向の外方へ延設される配線部を有し、
前記筐体が、前記配線部を挿通可能な配線挿通穴部を有する操作パネル構造において、
前記配線挿通穴部が、前記保護プレート貼付代部の一辺部の途中に設けられ、
前記保護プレートの前記一辺部が、少なくとも前記配線部の幅寸法の分だけ前記保護プレートの側方に延長して成る延長部を有し、
該延長部によって、前記保護プレートの前記一辺部における有効貼付長が、前記保護プレートの対辺部の長さと同じかそれよりも長くなるように構成されたことを特徴とする操作パネル構造。
【発明の詳細な説明】
【技術分野】
【０００１】
この発明は、操作パネル構造に関するものである。
【背景技術】
【０００２】
自動車などの車両には、車室内の前部にインストルメントパネルが設置されている。このインストルメントパネルの運転席と助手席との中間部分には、例えば、カーナビゲーション装置などの機器が設置されている。
【０００３】
そして、このようなカーナビゲーション装置には、画像を表示可能な画面を有する表示用ディスプレイ装置と、この表示用ディスプレイ装置の画面に重ねて設置されると共に入力操作が可能なタッチパネルとを備えた操作パネル構造を有するもの（タッチディスプレイ）が存在している（例えば、特許文献１参照）。
【０００４】
また、エアコンやオーディオ装置などの操作パネルとして、上記と同様の表示用ディスプレイ装置と、タッチパネルとを備えたもの（タッチディスプレイ）も開発されている。
【０００５】
そして、図５（ａ）（ｂ）に示すように、上記したタッチパネル１の外表面には、このタッチパネル１を保護するための保護プレート２が接着剤などにより一体的に貼付けられて、表層パネルを構成している。そして、上記した保護プレート２は、タッチパネル１よりも大きい面形状を有するものとされる。
【０００６】
また、上記したタッチパネル１の一辺部（図中上辺部となっている）からは、面方向の外方（この場合には、図中上方）へ向けて配線部３が延設される。この配線部３は、柔軟な樹脂フィルムに配線パターンを印刷形成してなるフレキシブルプリントケーブルなどによって構成されている。
【０００７】
そして、図６に示すように、上記した操作パネル構造は、筐体４（ケーシング）に設けられたディスプレイ収容凹部５に表示用ディスプレイ装置６を収容設置し、表示用ディスプレイ装置６の画面に重ねて上記したタッチパネル１を配置すると共に、表示用ディスプレイ装置６の画面の周縁部とタッチパネル１の裏面の対向する部分との間の枠状の部分を両面テープや接着剤などの固定手段７を用いて固定し、更に、筐体４の表面側に設けられた保護プレート貼付代部８に対して、保護プレート２における、タッチパネル１の周縁部１ａよりも外側に張出された張出部２ａの裏面を、両面テープや接着剤などの固定手段９を用いて枠状に貼付固定することによって組立てられる。
【０００８】
上記した保護プレート貼付代部８は、筐体４の表面に対して上記したディスプレイ収容凹部５の外周を取囲むように設けられているため、タッチパネル１および表示用ディスプレイ装置６は、保護プレート２によって全面が覆われた状態となる。
【０００９】
そして、上記した表示用ディスプレイ装置６の画面にタッチパネル１を重ねて設置する際には、タッチパネル１の一辺部から面方向の外方へ向けて延設された配線部３を裏面側へ曲げて、筐体４に設けられた配線挿通穴部１１へ挿通し、筐体４の裏面側へ導き出すようにする。筐体４の裏面側へ導出された配線部３は、筐体４の裏面側に設置された回路基板１２などに取付けられて、回路基板１２に設置された図示しない画像制御装置などに接続される。
【００１０】
ここで、上記した操作パネル（タッチディスプレイ）を車両に搭載する場合、緊急時の荷重入力などによる剥がれを防止するために、保護プレート貼付代部８の各辺に対して、所要の貼付強度を確保するための有効貼付長（或いは接着面積）をそれぞれ確保する必要がある。
【００１１】
また、タッチパネル１の一辺部から面方向の外方へ向けて延設される配線部３は、柔軟なフレキシブルプリントケーブルなどによって構成されてはいるが、組立時に損傷させないようにするために、所定曲率以下の曲げが与えられないようにする必要がある。
【００１２】
そこで、上記一辺部における、筐体４の保護プレート貼付代部８とディスプレイ収容凹部５との間、および、これと対向する保護プレート２の張出部２ａの内方部分に、それぞれ、比較的幅の広い貼付禁止スペース１３，１４を設定して、筐体４側の貼付禁止スペース１３の位置に上記した配線挿通穴部１１を形成するようにしていた。
【先行技術文献】
【特許文献】
【００１３】
【特許文献１】特開２０１１−９６１８３号公報
【発明の概要】
【発明が解決しようとする課題】
【００１４】
しかしながら、上記した操作パネル構造には、以下のような問題があった。
【００１５】
即ち、筐体４の保護プレート貼付代部８とディスプレイ収容凹部５との間、および、これと対向する保護プレート２の張出部２ａの内方部分に、それぞれ比較的幅の広い貼付禁止スペース１３，１４を設定して、筐体４側の貼付禁止スペース１３に対して上記した配線挿通穴部１１を形成するようにしていたため、保護プレート２や筐体４の両側辺部（この場合には、左右の辺部）が、貼付禁止スペース１３，１４を設定した分だけ長くなっていた。
【００１６】
また、上記した貼付禁止スペース１３，１４を設けることによって、上記一辺部側の操作不能範囲１５が大きくなっていた。
【課題を解決するための手段】
【００１７】
上記課題を解決するために、請求項１に記載された発明は、画像を表示可能な画面を有する表示用ディスプレイ装置と、該表示用ディスプレイ装置の画面に重ねて設置されると共に入力操作が可能なタッチパネルと、該タッチパネルよりも大きい面形状を有すると共に、該タッチパネルの外表面に貼付けられて、該タッチパネルを保護する保護プレートと、前記表示用ディスプレイ装置を収容設置可能なディスプレイ収容凹部、および、該ディスプレイ収容凹部の外周を取囲むように設けられて、前記タッチパネルの周縁部から張出された前記保護プレートの周縁部を貼付固定可能な保護プレート貼付代部を有する筐体とを備え、前記タッチパネルが、その一辺部に、面方向の外方へ延設される配線部を有し、前記筐体が、前記配線部を挿通可能な配線挿通穴部を有する操作パネル構造において、前記配線挿通穴部が、前記保護プレート貼付代部の一辺部の途中に設けられ、前記保護プレートの前記一辺部が、少なくとも前記配線部の幅寸法の分だけ前記保護プレートの側方に延長して成る延長部を有し、該延長部によって、前記保護プレートの前記一辺部における有効貼付長が、前記保護プレートの対辺部の長さと同じかそれよりも長くなるように構成されたことを特徴とする。
【発明の効果】
【００１８】
本発明によれば、上記構成によって、以下のような作用効果を得ることができる。即ち、配線挿通穴部が、保護プレート貼付代部の一辺部の途中に設けられることにより、例えば、保護プレート貼付代部とディスプレイ収容凹部との間に貼付禁止スペースを設定して、この貼付禁止スペースに配線挿通穴部を設けるようにした場合と比べて、保護プレートや筐体の両側辺部の寸法を、貼付禁止スペースをなくした分だけ短くして小型化することが可能となる。また、配線挿通穴部が保護プレート貼付代部の一辺部の途中に設けられることにより、一辺部側の操作不能範囲を小さくすることができる。そして、保護プレートの一辺部が、少なくとも配線部の幅寸法の分だけ保護プレートの側方に延長して成る延長部を有することにより、この延長部にて、保護プレートの一辺部における配線部の幅寸法を除いた有効貼付長を、保護プレートの対辺部の長さと同じかそれよりも長くなるようにすることができるので、一辺部における接着強度を確保し、緊急時の荷重入力などによる剥がれを防止することが可能となる。
【図面の簡単な説明】
【００１９】
【図１】本発明の実施例にかかるタッチパネルと保護プレートとを一体化した表層パネルを示し、（ａ）は背面図、（ｂ）は側面図である。
【図２】本発明の操作パネル構造の分解斜視である。
【図３】図２の一辺部の中央部の断面図である。
【図４】図２の側辺部の中央部の断面図である。
【図５】従来例にかかるタッチパネルと保護プレートとを一体化した表層パネルを示し、（ａ）は背面図、（ｂ）は側面図である。
【図６】従来例にかかる操作パネル構造の断面図である。
【発明を実施するための形態】
【００２０】
自動車などの車両には、車室内の前部にインストルメントパネルが設置されている。このインストルメントパネルの運転席と助手席との中間部分には、例えば、カーナビゲーション装置などの機器（電子ユニット）が設置されている。
【００２１】
そして、このようなカーナビゲーション装置には、画像を表示可能な画面を有する表示用ディスプレイ装置と、この表示用ディスプレイ装置の画面に重ねて設置されると共に指などによる入力操作が可能なタッチパネル（透明タッチセンサーパネル）とを備えた操作パネル構造を有するもの（タッチディスプレイ）が存在している。
【００２２】
また、エアコンやオーディオ装置などの操作パネルとして、上記と同様の表示用ディスプレイ装置と、タッチパネル（透明タッチセンサーパネル）とを備えたもの（タッチディスプレイ）も開発されている。
【００２３】
以下、本実施の形態を具体化した実施例を、図面を用いて詳細に説明する。
【００２４】
図１〜図４は、この実施例およびその変形例を示すものである。
【実施例】
【００２５】
＜構成＞以下、構成について説明する。
【００２６】
図１に示すように、上記したタッチパネル２１の外表面には、このタッチパネル２１（と表示用ディスプレイ装置と）を保護するための保護プレート２２が接着剤（または粘着材）などにより一体的に貼付けられて、表層パネルを構成している。ここで、上記したタッチパネル２１は、表面に指などを接触または近接させた時の静電容量の変化を利用して検知を行わせるようにした静電容量式のタッチセンサーパネルとされる。なお、タッチパネル２１には、上下二枚の透明導電膜を、間にスぺーサを介して離間配置した構造を有し、上下二枚の透明導電膜が部分的に接触することによってタッチ操作を検知するようにした抵抗膜式のタッチセンサーパネルも存在しており、抵抗膜式のタッチセンサーパネルであっても良い。そして、上記した保護プレート２２は、タッチパネル２１よりも大きい面形状を有するものとされる。
【００２７】
また、上記したタッチパネル２１の一辺部（図中上辺部となっているが、これに限るものではない）からは、面方向の外方（この場合には、図中上方）へ向けて配線部２３が延設される。この配線部２３は、柔軟な樹脂フィルムに配線パターンを印刷形成してなるフレキシブルプリントケーブルなどによって構成されている。但し、配線部２３は、フレキシブルプリントケーブルに限らず、フレキシブルプリント基板や、通常の導線やフラットケーブルなどによって構成しても良い。
【００２８】
そして、図２（〜図４）に示すように、上記した操作パネル構造は、筐体２４（ケーシング）に設けられたディスプレイ収容凹部２５に表示用ディスプレイ装置２６を収容設置し、表示用ディスプレイ装置２６の画面に重ねて上記したタッチパネル２１を配置すると共に、表示用ディスプレイ装置２６の画面の周縁部とタッチパネル２１の裏面の対向する部分との間の枠状の部分を両面テープや接着剤などの固定手段２７を用いて固定し、更に、筐体２４の表面側に設けられた保護プレート貼付代部２８に対して、保護プレート２２における、タッチパネル２１の周縁部２１ａよりも外側に張出された張出部２２ａの裏面を、両面テープや接着剤などの固定手段２９を用いて枠状に貼付固定し、更に、必要に応じて、モールなどの加飾部材３０を取付けることによって組立てられる。なお、図２では、部品の説明の都合上、タッチパネル２１と保護プレート２２とは、分離した状態で描かれているが、筐体２４に表示用ディスプレイ装置２６やタッチパネル２１を組付ける前の段階で、タッチパネル２１に保護プレート２２を貼付けておくようにしても良い。
【００２９】
上記した保護プレート貼付代部２８は、筐体２４の表面に対して上記したディスプレイ収容凹部２５の外周を取囲むように設けられているため、タッチパネル２１および表示用ディスプレイ装置２６は、保護プレート２２によって全面が覆われた状態となる。なお、保護プレート貼付代部２８は、保護プレート２２を面一状態で取付けられるようにするために、保護プレート２２の厚み分の段差量を有するものなどとされる。
【００３０】
そして、上記した表示用ディスプレイ装置２６の画面にタッチパネル２１を重ねて設置する際には、図３に示すように、タッチパネル２１の一辺部から面方向の外方へ向けて延設された配線部２３を裏面側へ曲げて、筐体２４に設けられた配線挿通穴部３１へ挿通し、筐体２４の裏面側へ導き出すようにする。筐体２４の裏面側へ導出された配線部２３は、筐体２４の裏面側に設置された回路基板３２などに取付けられて、回路基板３２に設置された図示しない画像制御装置などに接続される。なお、筐体２４の裏面側には、背面カバー３３が取付けられる。
【００３１】
ここで、上記した操作パネル（タッチディスプレイ）を車両に搭載する場合、緊急時の荷重入力などによる剥がれを防止するために、筐体２４の保護プレート貼付代部２８の各辺に対して、所要の貼付強度を確保するための有効貼付長（或いは接着面積）をそれぞれ確保する必要がある。同様に、保護プレート２２の張出部２２ａの各辺についても、所要の貼付強度を確保するための有効貼付長（或いは接着面積）をそれぞれ確保する必要がある。
【００３２】
また、タッチパネル２１の一辺部から面方向の外方へ向けて延設される配線部２３は、柔軟なフレキシブルプリントケーブルなどによって構成されてはいるが、組立時に損傷させないようにするために、所定曲率以下の曲げが与えられないようにする必要がある。
【００３３】
そこで、この実施例のものでは、以下のような構成を備えるようにしている。
【００３４】
（構成１）
上記した配線挿通穴部３１（図３参照）が、上記した保護プレート貼付代部２８の一辺部の途中に設けられるようにする。
【００３５】
そして、図１に示すように、上記した保護プレート２２（および保護プレート貼付代部２８）の上記した一辺部が、少なくとも上記した配線部２３（および配線挿通穴部３１）の幅寸法Ｗの分だけ上記した保護プレート２２（および保護プレート貼付代部２８）の側方に延長して成る延長部３５を有するものとされる。
【００３６】
この延長部３５により、上記した保護プレート２２（および保護プレート貼付代部２８）の上記した一辺部における有効貼付長（Ａ１＋Ａ２）が、上記した保護プレート２２（および保護プレート貼付代部２８）の対辺部の長さ（Ｂ）と同じかそれよりも長くなるように構成される（Ａ１＋Ａ２≧Ｂ）。
【００３７】
（補足説明１）
ここで、上記した「保護プレート貼付代部２８」は、タッチパネル２１の周縁部２１ａの外側をほとんど隙間のない状態（誤差吸収のための僅少な隙間は有していても良い）で取囲むような大きさのものとされる。
【００３８】
上記した「配線挿通穴部３１」は、保護プレート貼付代部２８の一辺部における幅中央部などに設けるのが好ましい。
【００３９】
また、上記した「延長部３５」は、この場合、上記した一辺部の両端部に対して同じ長さとなるように分けて設けられて、最も好ましいものとなっているが、異なる長さに分けることもできる。
【００４０】
そして、延長部３５を、一辺部の両端部に対して同じ長さに分けて設けることにより、保護プレート２２（および保護プレート貼付代部２８）は、延長部３５の両端部と対辺部の両端部とをそれぞれ直線的に結んだ斜辺状の両側辺部を有して、上底が下底よりも大きい概略逆台形型のものなどとされている。
【００４１】
＜作用＞以下、この実施例の作用について説明する。
【００４２】
上記した操作パネル構造では、画像を表示する表示用ディスプレイ装置２６に、入力操作を行うタッチパネル２１を重ねて設置することにより、表示用ディスプレイ装置２６の画面を見ながら、画面を直接指などで触れるようにして、入力操作を行うことができる。これにより、入力操作を容易化し直感的なものとすることができる。
【００４３】
＜効果＞この実施例によれば、以下のような効果を得ることができる。
【００４４】
上記した配線挿通穴部３１が、保護プレート貼付代部２８の一辺部の途中に設けられることにより、例えば、図５、図６の従来例のように、保護プレート貼付代部８とディスプレイ収容凹部５との間に貼付禁止スペース１３，１４を設定して、貼付禁止スペース１３，１４に配線挿通穴部１１を設けるようにした場合と比べて、保護プレート２２や筐体２４の両側辺部（この場合には、図中左右の辺部）の寸法を、貼付禁止スペースをなくした分だけ短くして小型化することが可能となる。
【００４５】
また、配線挿通穴部３１が保護プレート貼付代部２８の一辺部の途中に設けられることにより、一辺部側の操作不能範囲３６を小さくすることができる。
【００４６】
そして、保護プレート２２（および保護プレート貼付代部２８）の一辺部が、少なくとも配線部２３（および配線挿通穴部３１）の幅寸法Ｗの分だけ保護プレート２２（および保護プレート貼付代部２８）の側方に延長して成る延長部３５を有することにより、この延長部３５にて、保護プレート２２（および保護プレート貼付代部２８）の一辺部における配線部２３（および配線挿通穴部３１）の幅寸法Ｗを除いた有効貼付長（Ａ１＋Ａ２）を、保護プレート２２（および保護プレート貼付代部２８）の対辺部の長さ（Ｂ）と同じかそれよりも長くなるようにすることができるので（Ａ１＋Ａ２≧Ｂ）、一辺部における接着強度を確保し、緊急時の荷重入力などによる剥がれを防止することが可能となる。
【００４７】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、例えば、各実施例に複数の構成が含まれている場合には、特に記載がなくとも、これらの構成の可能な組合せが含まれることは勿論である。また、複数の実施例や変形例が示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００４８】
２１ タッチパネル
２１ａ      周縁部
２２ 保護プレート
２２ａ      張出部
２３ 配線部
２４ 筐体
２５ ディスプレイ収容凹部
２６ 表示用ディスプレイ装置
２７ 固定手段
２８ 保護プレート貼付代部
２９ 固定手段
３０ 加飾部材
３１ 配線挿通穴部
３２ 回路基板
３５ 延長部
Ａ１＋Ａ２  一辺部における有効貼付長
Ｂ  保護プレート貼付代部の対辺部の長さ
Ｗ  配線挿通穴部の幅寸法
【図１】
0005824738.tif 000002
【図２】
0005824738.tif 000003
【図３】
0005824738.tif 000004
【図４】
0005824738.tif 000005
【図５】
0005824738.tif 000006
【図６】
0005824738.tif 000007